(57)【要約】【課題】配管の径が大きい場合や配管内を流れる流体の流速が速い場合などであっても、効率的且つ確実に流体の磁気活性が行えるようにする。【解決手段】ホースＨの外周を取り囲むように、少なくとも２つの磁石５を対向配置した磁石群を、ホースＨの軸方向に所定間隔で２以上設ける。そして、磁石群の少なくとも１つにおける配管側の磁極を全て同極とし、且つ残る磁石群の少なくとも１つにおける、対向する磁石の磁極を全て異極とする。ここで、流体の磁気活性を一層効率的に行う観点からは、配管内流体の流動方向最下流側の磁石群の配管側の磁極を全て同極とするのが好ましい。さらには、前記の配管側の磁極を全て同極とした磁石群の、配管側の磁極をＳ極とするのが好ましい。【選択図】図３
2011167583.tif 000002
【特許請求の範囲】
【請求項１】
配管の外周を取り囲むように、少なくとも２つの磁石を対向配置させた磁石群を、配管の軸方向に所定間隔で２以上設け、
前記磁石群の少なくとも１つは、配管側の磁極を全て同極とし、且つ残る磁石群の少なくとも１つは、配管を挟んで対向する磁石の磁極を全て異極とすることを特徴とする配管内流体の磁気活性方法。
【請求項２】
配管内流体の流動方向最下流側の磁石群の配管側の磁極を全て同極とする請求項１記載の磁気活性方法。
【請求項３】
前記の配管側の磁極を全て同極とした磁石群の、配管側の磁極をＳ極とする請求項１又は２記載の磁気活性方法。
【請求項４】
前記磁石群は、４〜８つの磁石から構成される請求項１〜３のいずれかに記載の磁気活性方法。
【請求項５】
分割可能で、配管に対して挟み込むようにして取り付けられるケースと、前記ケース内に、配管に臨むように配置された複数の磁石とを備え、配管内流体を磁気活性する装置であって、
配管の外周を取り囲むように、少なくとも２つの磁石が対向配置された磁石群が、配管の軸方向に所定間隔で２以上設けられ、
前記磁石群の少なくとも１つは配管側の磁極は全て同極とされ、且つ残る磁石群の少なくとも１つは対向する磁石の磁極は全て異極とされていることを特徴とする配管取付用磁気活性装置。
【請求項６】
配管内流体の流動方向最下流側の磁石群の配管側の磁極が全て同極とされている請求項５記載の配管取付用磁気活性装置。
【請求項７】
前記の配管側の磁極が全て同極とされた磁石群の、配管側の磁極をＳ極とする請求項５又は６記載の配管取付用磁気活性装置。
【請求項８】
前記磁石群は、４〜８つの磁石から構成される請求項５〜７のいずれかに記載の配管取付用磁気活性装置。
【発明の詳細な説明】
【技術分野】
【０００１】
本発明は、配管に取り付けて、配管内を流れる液体に磁場を照射して磁気活性させる方法及び装置に関するものである。
【背景技術】
【０００２】
貯留液体や流動液体に磁場を照射して液体の状態を変化させると、種々の効果が得られることはこれまでから知られている。例えば、導水管路の外周部に磁石を設置して、管内面に付着したスケールの除去やカルキ臭の低減、水質の改善を行うことは既に行われている。
【０００３】
例えば、特許文献１では、配管の両側に磁石のＮ極とＳ極とを対向して配置し、この対向して配置されたＮ極とＳ極の磁石を配管の流れ方向に所定間隔で複数個設け、配管内の水を磁気化する技術が提案されている。
【先行技術文献】
【特許文献】
【０００４】
【特許文献１】特開平8-309361号公報
【発明の概要】
【発明が解決しようとする課題】
【０００５】
ところで、例えば、大規模農場における農作物への散水量は、一般家庭の水使用量よりも遙かに多いため、農場で使用される配管は一般家庭のものより太いものがある。また、配管内を流れる水の流速も速い。そこで、このような配管内を流れる単位時間当たりの液体流量が多い場合であっても、より効率的且つ確実に流体の磁気活性を行える装置が求められていた。
【課題を解決するための手段】
【０００６】
前記課題を解決すべく本発明者が鋭意検討した結果、配管の周りに設置する磁石の位置及び極性を特定の組み合わせとすることにより、より効率的且つ確実に流体の磁気活性が行えるとの知見を得、本発明をなすに至った。
【０００７】
すなわち、本発明に係る配管内流体の磁気活性方法は、配管の外周を取り囲むように、少なくとも２つの磁石を対向配置させた磁石群を、配管の軸方向に所定間隔で２以上設け、前記磁石群の少なくとも１つは、配管側の磁極を全て同極とし、且つ残る磁石群の少なくとも１つは、配管を挟んで対向する磁石の磁極を全て異極とすることを特徴とする。
【０００８】
また、本発明に係る配管取付用磁気活性装置（以下、単に「磁気活性装置」と記すことがある）は、分割可能で、配管に対して挟み込むようにして取り付けられるケースと、前記ケース内に、配管に臨むように配置された複数の磁石とを備え、配管内流体を磁気活性する装置であって、配管の外周を取り囲むように、少なくとも２つの磁石が対向配置された磁石群が、配管の軸方向に所定間隔で２以上設けられ、前記磁石群の少なくとも１つは配管側の磁極は全て同極とされ、且つ残る磁石群の少なくとも１つは対向する磁石の磁極は全て異極とされていることを特徴とする。
【０００９】
ここで、流体の磁気活性を一層効率的に行う観点からは、配管内流体の流動方向最下流側の磁石群の配管側の磁極を全て同極とするのが好ましい。さらには、前記の配管側の磁極を全て同極とした磁石群の、配管側の磁極をＳ極とするのが好ましい。
【００１０】
前記磁石群は、４〜８つの磁石から構成するのが好ましい。
【発明の効果】
【００１１】
本発明の磁気活性方法及び磁気活性装置によれば、配管の径が大きい場合や配管内を流れる流体の流速が速い場合などであっても、効率的且つ確実に流体の磁気活性が行えるようになる。
【図面の簡単な説明】
【００１２】
【図１】本発明に係る磁気活性装置の一例を示す斜視図である。
【図２】図１の磁気活性装置の組立て斜視図である。
【図３】図１におけるＡ−Ａ線断面図、Ｂ−Ｂ線断面図、Ｃ−Ｃ線断面図である。
【発明を実施するための形態】
【００１３】
以下、本発明に係る磁気活性方法及び磁気活性装置について図に基づいて説明するが、本発明はこれらの実施形態に何ら限定されるものではない。
【００１４】
図１は、本発明に係る磁気活性装置の一実施形態を示す斜視図であって、ケース１の内部に配置されている磁石５が透視されて描かれている。同図（ａ）は、配管としてのホースＨに磁気活性装置Ｓが取り付けられる前の状態であり、同図（ｂ）は、ホースＨに磁気活性装置Ｓが取り付けられた後の状態である。磁気活性装置Ｓは、ケース１と、ケース１内に内蔵される複数個の磁石５とを有する。ケース１は、上ケース１ａと下ケース１ｂとに分割可能で、上ケース１ａと下ケース１ｂとでホースＨを挟み込むことによってホースＨに固定される。上ケース１ａと下ケース１ｂとは略同一の構造を有するので、上ケース１ａを例にその構造を説明する。
【００１５】
図２に、磁気活性装置Ｓの組み立て斜視図を示す。上ケース１ａは、外カバー１１ａと、磁石５を保持するための保持部材１２ａと、保持部材１２ａから磁石５が外れないように磁石５の露出面を覆う内カバー１３ａとを有する。上ケース１ａは、長手方向の両側面にそれぞれ２つの円柱状の突起１１１を有する。これらの突起１１１の先端部の外周面には雄ネジが螺刻されている。保持部材１２ａは、断面コ字状の長尺部材が３つ略同心円状に連なった形状を有し、長尺方向の任意の位置で磁石５を保持できるようになっている。なお、保持部材１２ａの断面形状は、磁石５を位置決め保持できる形状であれば特に限定はなく、使用する磁石の形状・大きさに合わせて適宜決定すればよい。また、ホースＨの外周に同心円状に配置する磁石５の個数に合わせて、前記長尺部材の連なり数を定めればよい。
【００１６】
内カバー１３ａは、外カバー１１ａ及び保持部材１２ａとで磁石５を上ケース内に密封する。これによって、磁石５はホースＨと直接接触することはない。また、内カバー１３ａの、短手方向の中央部にケース内側に窪んだ凹部１３１ａが長手方向に連続して形成されており、上ケース１ａの凹部１３１ａと下ケース１ｂの凹部１３１ｂとでホースＨを挟み込むと共に、保持部材１２ａ、１２ｂから磁石５が外れないように固定する。なお、内カバー１３ａの材質としては、ホースＨ内に磁力を効果的に及ぼす観点から、非磁性部材が好ましく、例えば磁性を有さないステンレス鋼（SUS304，SUS316など）が強度等の点から好ましい。
【００１７】
上ケース１ａ及び下ケース１ｂの組み立ては、外カバー１１ａ内に保持部材１２ａを配置し、保持部材１２ａの所定位置に磁石５を取り付ける。磁石５の取付方向及び位置については後述する。そして、磁石５の露出面を覆うように、内カバー１３ａを外カバー１１ａに取り付け、内カバー１３ａの貫通孔と外カバー１１ａの貫通孔とを一致させ、不図示のビスで固定する。なお、上ケース１１ａ内で保持部材１２ａが動かないように、外カバー１１ａと保持部材１２ａとの間に、板バネや押しバネなどの付勢部材を介装してもよい。
【００１８】
次いで、上ケース１ａ及び下ケース１ｂの側面から突出した突起１１１を、左右方向に分割可能な一組の支持板２，３に形成された長孔２１にそれぞれ挿通する。これにより、上ケース１ａと下ケース１ｂとは、長孔２１内を突起１１１が移動できる範囲で移動可能に一組の支持板２，３で支持される。
【００１９】
前記構成の磁気活性装置ＳをホースＨに取り付ける場合は、上ケース１ａの凹部１３１ａと下ケース１ｂの凹部１３１ｂとでホースＨを挟み込む。また、分割した支持板２及び支持板３とを、穴２２及び穴３２の中にホースが位置するように接合する。そして、上ケース１ａ及び下ケース１ｂの突起１１１を、支持板２及び支持板３の長孔２１及び長孔３１に差し入れ、支持板２及び支持板３から外方に突出した突起１１１に、不図示のナットを螺合させて上ケース１ａ及び下ケース１ｂを支持板２，３に固定する。これにより、磁気活性装置ＳはホースＨに固定される。
【００２０】
図３に、図１のＡ−Ａ線断面図、Ｂ−Ｂ線断面図、Ｃ−Ｃ線断面図をそれぞれ示す。各断面図は、ホースＨの外周を取り囲むように６つの磁石５が対向配置された各磁石群の位置における断面図である。各磁石５は、薄い直方体形状を有し、一方面をＳ極と他方面をＮ極としたものである。図３（ａ）に示す磁石群イでは、上ケース１ａの磁石は、ホースＨに臨む側の磁極が全てＮ極となるように取り付けられ、下ケース１ｂの磁石は、ホースＨに臨む側の磁極が全てＳ極となるように取り付けられている。これにより、ホースＨを挟んで対向する磁石の磁極は異極となり、磁力線はおおよそ上から下へホースＨを横断するような形で形成される。
【００２１】
図３（ｂ）に示す磁石群ロでは、磁石群Ａとは逆に、上ケース１ａの磁石は、ホースＨに臨む側の磁極が全てＳ極となるように取り付けられ、下ケース１ｂの磁石は、ホースＨに臨む側の磁極が全てＮ極となるように取り付けられている。これにより、ホースＨを挟んで対向する磁石の磁極は異極となり、磁力線はおおよそ下から上へホースＨを横断するような形で形成される。
【００２２】
さらに、図３（ｃ）に示す磁石群ハでは、上ケース１ａ及び下ケース１ｂの磁石は、ホースＨに臨む側の磁極を全てＳ極となるように取り付けられている。これにより、磁力線はホースＨを横断することなく、ホースの中心部付近で曲がって半径方向外方へ逸れる形で形成される。
【００２３】
このように本実施形態の磁気活性装置Ｓでは、６個の磁石を対向配置させた磁石群を、ホースＨの軸方向に所定間隔で３つ設け、そのうち２つの磁石群イ及び磁石群ロは、ホースＨを挟んで対向する磁石の磁極を全て異極とし、残る１つ磁石群ハは、配管側の磁極を全て同極としている。従来の磁気活性装置には、複数の磁石群を設けたものもあるが、いずれの磁石群も、対向する磁石の磁極を異極としていた。また、従来の磁気活性装置には、対向する磁石の磁極を同極とするものもあるが、１つの磁極群のみを備えたものであった。これに対し、本発明の磁気活性装置は、対向する磁石の磁極を異極とした磁石群と、対向する磁石の磁極を同極とした磁石群とをそれぞれ少なくとも１つ設ける構成としたので、従来の装置に比べて、磁気活性能が遙かに高くなり、配管の径が大きい場合や配管内を流れる流体の流速が速い場合などであっても、効率的且つ確実に流水の磁気活性が行えるようになる。
【００２４】
なお、以上説明した実施形態では、３つの磁石群を設けているが、磁石群の数は２つ以上であれば特に限定はない。また、磁石群を構成する磁石の個数は２つ以上であれば特に限定はないが、通常は２〜８個の範囲が好ましい。ただし、磁石群を構成する磁石はホースを挟んで対向配置する必要があるため、偶数個であるのが好ましい。
【００２５】
また、磁石群の配置順序に限定はないが、対向する磁石の磁極を全て同極とした磁石群を、配管内流体の流動方向最下流側に設けるのが好ましい。また、対向する磁石の磁極を全て同極とする場合、対向側の磁極はＳ極とするのが好ましい。
【００２６】
磁石群の配置間隔としては、隣り合う磁石群の磁力が他方に大きく影響しない程度の間隔が好ましく、使用する磁石の磁力を考慮して適宜決定すればよいが、通常、５〜２５ｍｍ程度が好ましい。
【００２７】
本発明の磁気活性装置を取り付ける配管としては、ホースに限定されるものではなく、金属管や樹脂管など従来公知の管が挙げられる。
【００２８】
本発明で使用する磁石に限定はなく、例えば、バリウムフェライト磁石やストロンチウムフェライト磁石などのフェライト磁石；アルニコ磁石やサマリウムコバルト磁石、ネオジム磁石などの希土類磁石；フェライトゴム磁石やネオジムゴム磁石などのゴム磁石；フェライトプラスチック磁石やネオジムプラスチック磁石などのプラスチック磁石などが挙げられる。これらの中でも磁力が高いことから希土類磁石が好ましく、ネオジム磁石がより好ましい。磁石の磁力としては１０００〜５０００ガウスの範囲が好ましい。
【００２９】
配管内を流動させる流体に限定はなく、水道水や水溶液、オイル、各種飲み物など従来公知の液体に本発明は適用でき、僅かながらでも導電性を有する液体に好ましく適用できる。
【００３０】
本発明者らの実験によれば、本発明の磁気活性方法及び磁気活性装置を、農作物への散布用水に用いると、農作物の生長が通常に比べて格段に促進される効果が得られる。
【産業上の利用可能性】
【００３１】
本発明に係る磁気活性方法及び磁気活性装置によれば、配管の径が大きい場合や配管内を流れる流体の流速が速い場合などであっても、効率的且つ確実に流体の磁気活性が行え有用である。
【符号の説明】
【００３２】
１    ケース
１ａ    上ケース
１ｂ    下ケース
２，３    支持部材
５    磁石
イ，ロ，ハ    磁石群
Ｈ    ホース（配管）
Ｓ    磁気活性装置
１１ａ，１１ｂ    外カバー
１２ａ，１２ｂ    保持部材
１３ａ，１３ｂ    内カバー
【図１】
2011167583.tif 000003
【図２】
2011167583.tif 000004
【図３】
2011167583.tif 000005